(57)【特許請求の範囲】
【請求項１】
移動通信端末機に短文メッセージを格納するためのメモリを、所定個数の短文メッセージが受信される基本容量の他に、所定個数の短文メッセージが追加受信される余裕容量を設定して割当てる工程と、
受信される短文メッセージが前記メモリの前記基本容量を超過すると、前記メモリの前記余裕容量に前記受信される短文メッセージを格納し、前記基本容量に格納されている短文メッセージを削除して該基本容量にメモリ空間を確保する工程と、
該確保されたメモリ空間を再整列して短文メッセージを格納する工程と、
を順次行うことを特徴とする移動通信端末機の短文メッセージ受信方法。
【請求項２】
前記削除される短文メッセージは、移動通信端末機に受信される短文メッセージ中、使用者が内容を確認した削除可能な短文メッセージであることを特徴とする請求項１に記載の移動通信端末機の短文メッセージ受信方法。
【請求項３】
前記短文メッセージを格納する工程は、前記確保されたメモリ空間における削除された短文メッセージの格納番地の次の番地に格納された短文メッセージを順次シフトして、短文メッセージのシフトによって確保された最終番地に短文メッセージを格納する工程であることを特徴とする請求項１に記載の移動通信端末機の短文メッセージ受信方法。
【請求項４】
前記削除される短文メッセージが存在しないと、前記メモリに格納された短文メッセージを使用者が設定した電子メールアドレスに自動伝送する工程を追加して行うことを特徴とする請求項１に記載の移動通信端末機の短文メッセージ受信方法。
【請求項５】
前記自動伝送される短文メッセージは、メモリ内の基本容量に既受信された短文メッセージ中、使用者が内容を確認してない未開封短文メッセージと、移動通信端末機に新しく受信されて余裕容量に格納された短文メッセージとのいずれかである、請求項４に記載の移動通信端末機の短文メッセージ受信方法。
【請求項６】
前記削除される短文メッセージが存在しないと、未開封メッセージを使用者が設定した電子メールアドレスに自動伝送する工程と、
電子メールを通じて伝送された短文メッセージを前記基本容量から削除する工程と、
を順次行うことを特徴とする請求項１〜３の何れか１つに記載の移動通信端末機の短文メッセージ受信方法。
【請求項７】
前記削除される短文メッセージが存在しないと、移動通信端末機のメモリに新しく受信された短文メッセージを使用者が設定した電子メールアドレスに自動伝送する工程と、
電子メールを通じて伝送された短文メッセージを余裕容量から削除する工程と、
を順次行うことを特徴とする請求項１に記載の移動通信端末機の短文メッセージ受信方法。
【請求項８】
基本容量の他に所定個数の短文メッセージを追加受信するための余裕容量を包含してメモリを割当てる工程と、
前記基本容量を超過して受信された短文メッセージを前記余裕容量に格納する工程と、
前記基本容量に格納された短文メッセージの一部を削除する工程と、
削除された短文メッセージの格納番地に次の番地の短文メッセージを順次シフトする工程と、
前記余裕容量に格納された短文メッセージを前記基本容量の最終番地に格納する工程と、
を順次行うことを特徴とする移動通信端末機の短文メッセージ受信方法。
【請求項９】
前記余裕容量は、前記基本容量の他に新しい所定容量をメモリに追加するか、前記基本容量内の所定容量を前記余裕容量として再割当することを特徴とする請求項８に記載の移動通信端末機の短文メッセージ受信方法。
【請求項１０】
前記削除される短文メッセージは、移動通信端末機に格納された短文メッセージ中、使用者が内容を確認した後、格納してない状態で内容確認を終了することによって設定されることを特徴とする請求項８に記載の移動通信端末機の短文メッセージ受信方法。
【請求項１１】
前記削除される短文メッセージが複数個である場合は、上位番地から下位番地に格納された順に削除されることを特徴とする請求項８に記載の移動通信端末機の短文メッセージ受信方法。
【請求項１２】
基本容量及び余裕容量を包含する所定量のメモリを割当てる工程と、
前記基本容量を超過して受信された短文メッセージを前記余裕容量に格納する工程と、
前記基本容量に格納された未開封短文メッセージを設定された電子メールアドレスに伝送する工程と、
電子メールアドレスに伝送された短文メッセージを削除する工程と、
削除された短文メッセージの格納番地に次の番地の短文メッセージを順次シフトする工程と、
前記余裕容量に格納された短文メッセージを前記基本容量の最終番地に格納する工程と、
を順次行うことを特徴とする移動通信端末機の短文メッセージ受信方法。
【請求項１３】
前記余裕容量は、前記基本容量の他に新しい所定容量をメモリに追加するか、または、前記基本容量内の所定容量を前記余裕容量として再割当することを特徴とする請求項１２に記載の移動通信端末機の短文メッセージ受信方法。
【請求項１４】
前記未開封メッセージは、移動通信端末機の前記基本容量に格納された短文メッセージ中、使用者が内容を確認してない短文メッセージであることを特徴とする請求項１２に記載の移動通信端末機の短文メッセージ受信方法。
【請求項１５】
前記電子メールアドレスに伝送すべき未開封短文メッセージが複数個である場合は、上位番地から下位番地に格納された順に前記電子メールアドレスに伝送することを特徴とする請求項１２に記載の移動通信端末機の短文メッセージ受信方法。
【請求項１６】
基本容量及び余裕容量を包含する所定量のメモリを割当てる工程と、
前記基本容量を超過して受信された短文メッセージを前記余裕容量に格納する工程と、
前記余裕容量に格納された短文メッセージを設定された電子メールアドレスに伝送する工程と、
前記余裕容量に格納された短文メッセージを削除する工程と、
を順次行うことを特徴とする移動通信端末機の短文メッセージ受信方法。
【請求項１７】
移動通信端末機に基本容量及び余裕容量を包含するメモリを割当てる工程と、
受信された短文メッセージを前記基本容量に格納することができるかを判断する工程と、
前記基本容量が飽和されていると、前記余裕容量に受信メッセージを格納する工程と、
前記基本容量内に削除可能な短文メッセージが存在するかを判断する工程と、
前記削除可能な短文メッセージが存在しない場合は、使用者が確認してない未開封メッセージが存在するかを確認する工程と、
前記未開封短文メッセージが存在する場合は、該当の短文メッセージを使用者が設定した電子メールアドレスに伝送する工程と、
電子メールを通じて伝送された短文メッセージを前記基本容量から削除し、短文メッセージの格納番地を再整列した後、前記余裕容量に格納された短文メッセージを前記基本容量の最終番地に格納する工程と、
を順次行うことを特徴とする移動通信端末機の短文メッセージ受信方法。
【請求項１８】
前記削除可能な短文メッセージが存在すると、該短文メッセージを削除し、前記基本容量における残りの短文メッセージの格納番地を再整列した後、前記余裕容量に格納された短文メッセージを前記基本容量に格納することを特徴とする請求項１７に記載の移動通信端末機の短文メッセージ受信方法。
【請求項１９】
前記削除可能な短文メッセージ及び未開封短文メッセージが存在しないと、前記余裕容量に受信された短文メッセージを使用者が設定した電子メールアドレスに伝送した後、該当の短文メッセージを削除することを特徴とする請求項１７に記載の移動通信端末機の短文メッセージ受信方法。
【発明の詳細な説明】
【０００１】
【発明の属する技術分野】
本発明は、移動通信端末機の短文メッセージ受信方法に係るもので、詳しくは、移動通信端末機のメモリに割当てられた容量よりも多量の短文メッセージを受信することができる、移動通信端末機の短文メッセージ受信方法に関するものである。
【０００２】
【従来の技術】
最近、移動通信端末機が急速に普及されることによって、短文メッセージサービス（Ｓｈｏｒｔ  Ｍｅｓｓａｇｅ  Ｓｅｒｖｉｃｅ）を利用する人も急激に増加している。前記短文メッセージサービスは、電子メールとは異なって、情報を発送した時点とほぼ同時に相手の移動通信端末機に情報が伝達されるため、現在、有力な通信手段の一つになりつつある。
【０００３】
前記短文メッセージサービスは、移動通信端末機を介して利用者間で４０文字ほどの短文を対話型に交換することが可能で、移動通信端末機が消されているか、または、通話不可能な地域に位置していても、該当の移動通信端末機が通話できる状態になるまで所定期間の間保存される。従って、伝達すべき内容が簡単であるか、音声通話ができない場合は、音声通話よりも短文メッセージサービスを利用した方が遥かに便利で料金も節約できるため、短文メッセージサービスの使用が益々増加している。特に、最近では、クレジットカード会社が、カード事故を防止するために取引承認内容を文字メッセージサービスを通じて伝送するサービスを導入するなど、電子決裁及び電子商取引にまで活用範囲が拡大されつつある。
【０００４】
しかし、前記短文メッセージを受信するために移動通信端末機に割当てられたメモリ容量は限界があるため、メモリ容量以上のメッセージが受信される場合は、以前に受信されたメッセージを順次削除しなければ新しいメッセージを受信することができなくなる。即ち、従来の移動通信端末機は、短文メッセージデータの格納容量が任意に設定され、その許容範囲内だけで短文メッセージを受信し得るようになっていた。
【０００５】
以下、このような従来の移動通信端末機の短文メッセージ受信方法に対し、図３に基づいて説明する。
【０００６】
先ず、移動通信端末機に所定個数の短文メッセージが受信される基本容量のメモリを割当て（Ｓ１１）、基地局から伝送される短文メッセージがあるかを感知する（Ｓ１２）。
【０００７】
次いで、基地局から伝送される短文メッセージが感知されると、移動通信端末機は、割当てられたメモリ内に前記短文メッセージを格納できる余裕空間があるかを判断し（Ｓ１３）、余裕空間があると、メモリを前記短文メッセージに割当て（Ｓ１４）、割当てられた余裕空間に短文メッセージを格納する（Ｓ１５）。
【０００８】
一方、割当てられたメモリ内に短文メッセージを格納できる余裕空間が存在しないと、移動通信端末機は短文メッセージを受信することができず（Ｓ１６）、基地局システムは、このように受信拒絶された短文メッセージを移動通信端末機に周期的に伝送して、システムに設定された所定時間が経過すると（Ｓ１７）、基地局システムは前記短文メッセージの伝送を終了する（Ｓ１８）。
【０００９】
より詳しく説明すると、先ず、移動通信端末機に短文メッセージを格納するための所定量のメモリ空間を割当てる。例えば、１個の短文メッセージを格納するための最大メモリ容量を５０ｂｙｔｅと仮定すると、１００個の短文メッセージを受信し得るように合計５ｋｂｙｔｅのメモリ空間を割当てる。
【００１０】
若し、移動通信端末機に１０１番目の短文メッセージが伝送されると、短文メッセージを格納するために割当てられたメモリ容量の５ｋｂｙｔｅを超過するため、１０１番目以後の短文メッセージは受信されない。
【００１１】
すると、基地局システムは、このように移動通信端末機から受信拒絶された短文データを移動通信端末機に周期的に伝送するが、移動通信端末機に既に受信されてある短文データが削除されないと、１０１番目以後の短文メッセージを受信することはできない。
【００１２】
このように短文メッセージが受信されてない状態で所定時間が経過すると、基地局システムは１０１番目の短文メッセージの伝送を中断する。
【００１３】
【発明が解決しようとする課題】
このように、従来の移動通信端末機の短文メッセージ受信方法においては、移動通信端末機が短文メッセージを受信するためには余裕メモリ空間を必ず確保すべきであって、若し、短文メッセージを受信するために割当てられたメモリが全て短文メッセージでいっぱいになった場合は、それ以上短文メッセージを受信することが不可能であるため、余裕容量のメモリを確保するためには所定時間ごとに受信された短文メッセージを確認し、削除しなければならず、よって、極めて不便であるという不都合な点があった。
【００１４】
本発明は、このような従来の課題に鑑みてなされたもので、移動通信端末機に割当てられた容量よりも多量の短文メッセージデータを受信し得る、移動通信端末機の短文メッセージ受信方法を提供することを目的とする。
【００１５】
【課題を解決するための手段】
このような目的を達成するため、本発明に係る移動通信端末機の短文メッセージ受信方法は、移動通信端末機に短文メッセージを格納するためのメモリを、所定個数の短文メッセージが受信される基本容量の他に、所定個数の短文メッセージが追加受信される余裕容量を設定して割当てる工程と、受信される短文メッセージが前記メモリの前記基本容量を超過すると、前記メモリの前記余裕容量に前記受信される短文メッセージを格納し、前記基本容量に格納されている短文メッセージを削除して該基本容量にメモリ空間を確保する工程と、該確保されたメモリ空間を再整列して短文メッセージを格納する工程と、を順次行うことを特徴とする。
【００１６】
前記削除される短文メッセージは、移動通信端末機に受信される短文メッセージ中、使用者が内容を確認した削除可能な短文メッセージであることを特徴としてもよい。
【００１７】
前記短文メッセージを格納する工程は、前記確保されたメモリ空間における削除された短文メッセージの格納番地の次の番地に格納された短文メッセージを順次シフトして、短文メッセージのシフトによって確保された最終番地に短文メッセージを格納する工程であることを特徴としてもよい。
【００１８】
前記削除される短文メッセージが存在しないと、前記メモリに格納された短文メッセージを使用者が設定した電子メールアドレスに自動伝送する工程を追加して行うことを特徴としてもよい。
【００１９】
前記自動伝送される短文メッセージは、メモリ内の基本容量に既受信された短文メッセージ中、使用者が内容を確認してない未開封短文メッセージと、移動通信端末機に新しく受信されて余裕容量に格納された短文メッセージとのいずれかであってもよい。
【００２０】
前記削除される短文メッセージが存在しないと、未開封メッセージを使用者が設定した電子メールアドレスに自動伝送する工程と、電子メールを通じて伝送された短文メッセージを前記基本容量から削除する工程と、を順次行うことを特徴としてもよい。
【００２１】
前記削除される短文メッセージが存在しないと、移動通信端末機のメモリに新しく受信された短文メッセージを使用者が設定した電子メールアドレスに自動伝送する工程と、電子メールを通じて伝送された短文メッセージを余裕容量から削除する工程と、を順次行うことを特徴としてもよい。
【００２２】
また、本発明の移動通信端末機の短文メッセージ受信方法は、基本容量の他に所定個数の短文メッセージを追加受信するための余裕容量を包含してメモリを割当てる工程と、前記基本容量を超過して受信された短文メッセージを前記余裕容量に格納する工程と、前記基本容量に格納された短文メッセージの一部を削除する工程と、削除された短文メッセージの格納番地に次の番地の短文メッセージを順次シフトする工程と、前記余裕容量に格納された短文メッセージを前記基本容量の最終番地に格納する工程と、を順次行うことを特徴とする。
【００２３】
前記余裕容量は、前記基本容量の他に新しい所定容量をメモリに追加するか、前記基本容量内の所定容量を前記余裕容量として再割当することを特徴としてもよい。
【００２４】
前記削除される短文メッセージは、移動通信端末機に格納された短文メッセージ中、使用者が内容を確認した後、格納してない状態で内容確認を終了することによって設定されることを特徴としてもよい。
【００２５】
前記削除される短文メッセージが複数個である場合は、上位番地から下位番地に格納された順に削除されることを特徴としてもよい。
【００２６】
また、本発明の移動通信端末機の短文メッセージ受信方法は、基本容量及び余裕容量を包含する所定量のメモリを割当てる工程と、前記基本容量を超過して受信された短文メッセージを前記余裕容量に格納する工程と、前記基本容量に格納された未開封短文メッセージを設定された電子メールアドレスに伝送する工程と、電子メールアドレスに伝送された短文メッセージを削除する工程と、削除された短文メッセージの格納番地に次の番地の短文メッセージを順次シフトする工程と、前記余裕容量に格納された短文メッセージを前記基本容量の最終番地に格納する工程と、を順次行うことを特徴とする。
【００２７】
前記余裕容量は、前記基本容量の他に新しい所定容量をメモリに追加するか、または、前記基本容量内の所定容量を前記余裕容量として再割当することを特徴としてもよい。
【００２８】
前記未開封メッセージは、移動通信端末機の前記基本容量に格納された短文メッセージ中、使用者が内容を確認してない短文メッセージであることを特徴としてもよい。
【００２９】
前記電子メールアドレスに伝送すべき未開封短文メッセージが複数個である場合は、上位番地から下位番地に格納された順に前記電子メールアドレスに伝送することを特徴としてもよい。
【００３０】
また、本発明の移動通信端末機の短文メッセージ受信方法は、基本容量及び余裕容量を包含する所定量のメモリを割当てる工程と、前記基本容量を超過して受信された短文メッセージを前記余裕容量に格納する工程と、前記余裕容量に格納された短文メッセージを設定された電子メールアドレスに伝送する工程と、前記余裕容量に格納された短文メッセージを削除する工程と、を順次行うことを特徴とする。
【００３１】
また、本発明の移動通信端末機の短文メッセージ受信方法は、移動通信端末機に基本容量及び余裕容量を包含するメモリを割当てる工程と、受信された短文メッセージを前記基本容量に格納することができるかを判断する工程と、前記基本容量が飽和されていると、前記余裕容量に受信メッセージを格納する工程と、前記基本容量内に削除可能な短文メッセージが存在するかを判断する工程と、前記削除可能な短文メッセージが存在しない場合は、使用者が確認してない未開封メッセージが存在するかを確認する工程と、前記未開封短文メッセージが存在する場合は、該当の短文メッセージを使用者が設定した電子メールアドレスに伝送する工程と、電子メールを通じて伝送された短文メッセージを前記基本容量から削除し、短文メッセージの格納番地を再整列した後、前記余裕容量に格納された短文メッセージを前記基本容量の最終番地に格納する工程と、を順次行うことを特徴とする。
【００３２】
前記削除可能な短文メッセージが存在すると、該短文メッセージを削除し、前記基本容量における残りの短文メッセージの格納番地を再整列した後、前記余裕容量に格納された短文メッセージを前記基本容量に格納することを特徴としてもよい。
【００３３】
前記削除可能な短文メッセージ及び未開封短文メッセージが存在しないと、前記余裕容量に受信された短文メッセージを使用者が設定した電子メールアドレスに伝送した後、該当の短文メッセージを削除することを特徴としてもよい。
【００３７】
【発明の実施の形態】
以下、本発明の実施の形態に対し、図面を用いて説明する。
【００３８】
本発明に係る移動通信端末機の短文メッセージ受信方法が適用される移動通信システムの構造においては、図１に示したように、短文メッセージサービスのような個人通信サービスの提供を受ける移動通信端末機１と、該移動通信端末機１とメッセージ及び状態情報を送／受信する各基地局２と、それら基地局２を制御及び管理し、着／発信呼び出し処理時に有／無線リンクを制御して、トランスコーディング及びハンドオフ制御などの無線呼び出し処理に必要な各機能を行う制御局３と、該制御局３及び他の局並びに他のネットワークと連動してスイッチング役割を行うと同時に、移動通信システムの呼び出し処理及びデータ交換に必要な各機能を行う交換機４と、前記移動通信端末機１と交換機４との間、または、外部装置と交換機４との間の短文メッセージサービスを提供する短文メッセージサービスセンター５と、前記移動通信端末機１から伝送された電子メールをインターネット通信網を通じて使用者の電子メールサーバー（図示せず）に伝送するために連結されるウェブサーバー６と、を備えて構成されている。
【００３９】
そして、前記移動通信端末機１は、短文メッセージを格納するために割当てられる所定容量のメモリと、メモリ容量を超過した場合に受信される短文メッセージが伝送される使用者電子メールアドレスと、を包含して構成されることで、前記移動通信端末機１に割当てられたメモリ容量以上の短文メッセージが伝送されると、既に受信されていた短文メッセージは、使用者の電子メールアドレスに順次、自動伝送される。
【００４０】
且つ、このとき、前記短文メッセージは、（１）受信された内容を使用者が確認してない“未開封短文メッセージ”と、（２）内容を確認して格納した“維持短文メッセージ”と、（３）使用者が内容を確認した後格納してない“削除可能な短文メッセージ”と、の３種類に分類される。
【００４１】
例えば、使用者が前記移動通信端末機１に受信された短文メッセージの内容を確認した後、“格納”ボタンを押すと“維持短文メッセージ”になるが、内容を確認した後“格納”ボタンを押さずに次の短文メッセージをリードするか、または、短文メッセージの内容確認を終了すると、メモリに余裕空間がないときに空間を確保するために自動削除し得る“削除可能な短文メッセージ”になる。即ち、“維持短文メッセージ”及び“削除可能な短文メッセージ”は、使用者が短文メッセージの内容を確認した後、“格納”ボタンを押すか否かによって決定される。
【００４２】
以下、本発明に係る移動通信端末機の短文メッセージ受信方法に対し、図２に基づいて説明する。
【００４３】
先ず、移動通信端末機のメモリに短文メッセージを格納するための所定容量の空間を割当てる（Ｓ２１）。このとき、前記メモリは、短文メッセージを受信するための基本容量の他に、所定個数の短文メッセージを追加受信するための余裕容量を包含する。ここで、余裕容量とは、メモリの基本容量が短文メッセージにより飽和された後、新しく受信される短文メッセージを臨時格納するための空間である。
【００４４】
例えば、最大メモリ容量が５０ｂｙｔｅの短文メッセージを１００個受信することができる５ｋｂｙｔｅの基本容量の他に、５０ｂｙｔｅの余裕容量を追加割当てると、短文メッセージを受信するためのメモリ割当容量は５０５０ｂｙｔｅになって、１０１個の短文メッセージを受信することができる。
【００４５】
勿論、短文メッセージを受信するための割当容量が５ｋｂｙｔｅに固定された場合は、９９個の短文メッセージを受信し得る容量を基本容量として設定し、１個の短文メッセージを受信し得る容量を余裕容量として割当てる。
【００４６】
次いで、移動通信端末機が短文メッセージを受信すると（Ｓ２２）、割当てられたメモリの基本容量が既に受信された短文メッセージによって飽和されたかを確認して（Ｓ２３）、受信された短文メッセージが格納される空間が基本容量内に存在すると、その空間に短文メッセージを格納し（Ｓ３１）、一方、メモリの基本容量が短文メッセージによって全て飽和された状態であると、短文メッセージをメモリの余裕容量に受信する（Ｓ２４）。
【００４７】
次いで、基本容量のメモリ空間を確保するために削除可能な短文メッセージがあるかを確認して（Ｓ２５）、削除可能な短文メッセージが存在すると、格納番号順に従って削除可能な短文メッセージを削除する（Ｓ２６）。一方、削除可能な短文メッセージが存在しない場合は、未開封短文メッセージが存在するかを確認して（Ｓ２７）、未開封短文メッセージが存在すると、未開封短文メッセージ中、受信順番が早いものから使用者が指定した電子メールアドレスに伝送し（Ｓ２８）、電子メールアドレスに伝送された未開封短文メッセージを移動通信端末機のメモリから削除する（Ｓ２９）。
【００４８】
次いで、削除された未開封短文メッセージがあったメモリ空間に次の番地の短文メッセージを順次シフトすることで、メモリの基本容量内に格納された短文メッセージの格納番地を再整列し（Ｓ３０）、余裕容量に格納された短文メッセージを基本容量の最終番地に格納する（Ｓ３１）。
【００４９】
このように移動通信端末機が基本容量を超過して新しい短文メッセージを受信する場合は、未開封短文メッセージを電子メールに伝送した後削除することで、新しい短文メッセージを受信することができる。
【００５０】
一方、未開封短文メッセージが存在しない場合は、基本容量以上に受信された短文メッセージを使用者が既設定した電子メールアドレスに伝送する（Ｓ３２）。
【００５１】
上述したように本発明に係る移動通信端末機の短文メッセージ受信方法においては、短文メッセージによって基本容量が飽和された状態で、更に短文メッセージが受信された場合は、短文メッセージを余裕容量に先に格納した後、削除可能な短文メッセージを削除するか、未開封短文メッセージまたは新しい短文メッセージを電子メールに伝送することで、移動通信端末機のメモリ容量よりも一層多くの短文メッセージを受信することができる。
【００５２】
以下、本発明に係る移動通信端末機の短文メッセージ受信方法に対し、例を挙げて説明する。
【００５３】
先ず、移動通信端末機のメモリに１００個の短文メッセージが格納される基本容量及び、１個の短文メッセージが格納される余裕容量を割当てる。このとき、余裕容量は、１０１個の格納番地中の最下位番地が割当てられる。
【００５４】
このとき、例えば、移動通信端末機の１００個の基本容量の全てが既に受信された短文メッセージにより飽和され、そのうち、２番、５番及び１０番の短文データは削除可能な短文メッセージ、９１番から１００番までの短文メッセージは未開封短文メッセージ、その他の短文メッセージは格納短文メッセージであると仮定したとき、移動通信端末機に１０１番目の短文メッセージが受信されると、メモリの１０１番の余裕容量に前記短文メッセージが格納された後、移動通信端末機は基本容量のメモリ空間を確保するために、先ず、削除可能な短文メッセージの２番の短文メッセージを削除する。従って、２番の短文メッセージがあった領域は余裕空間になるので、３番以後の短文メッセージを１個ずつ前の格納番号にシフトし、１０１番の短文メッセージは１００番目の短文メッセージになる。
【００５５】
そして、移動通信端末機に１０２番目及び１０３番目の短文メッセージが受信される場合、上述したように削除可能な短文メッセージの５番及び１０番を順に削除し、該当の格納番地に残りの短文メッセージをシフトすることで、基本容量に１００個の短文メッセージが格納される。
【００５６】
然し、移動通信端末機に１０４番目の短文メッセージが受信される場合は、メモリの余裕容量に１０４番目の短文メッセージを格納した後、未開封短文メッセージの９１番の短文メッセージを使用者が設定した電子メールアドレスに伝送し、９１番の短文メッセージが電子メールを通じて伝送終了されると、該当の短文メッセージを基本領域から削除する。従って、９１番の短文メッセージがあった領域は余裕空間になるので、９２番以後の短文メッセージの格納番地をシフトし、１０１番に格納された短文メッセージを１００番に格納する。
【００５７】
即ち、移動通信端末機のメモリに１００個の短文メッセージが格納された後新しい短文メッセージが受信されると、削除可能な短文メッセージがある場合はその短文メッセージを削除し、若し、削除可能な短文メッセージが無く未開封短文メッセージがある場合は、移動通信端末機に受信される短文メッセージの数だけの未開封短文メッセージを、予め指定した電子メールアドレスに順次伝送する。
【００５８】
一方、移動通信端末機に、削除可能な短文メッセージ及び未開封短文メッセージの両方とも存在しない場合は、基本容量以上に受信される短文メッセージを使用者が指定した電子メールアドレスに伝送する。
【００５９】
【発明の効果】
以上説明したように、本発明に係る移動通信端末機の短文メッセージ受信方法においては、移動通信端末機に割当てられたメモリ領域よりも多い短文メッセージが受信される場合、電子メールを利用して伝送及び格納するため、割当てられたメモリ領域以上の短文メッセージを受信することができると共に、従来技術のように余裕容量のメモリを確保するために所定時間ごとに受信される短文メッセージを確認して削除する必要が無く、よって、非常に便利であるという効果がある。
【００６０】
且つ、本発明に係る移動通信端末機の短文メッセージ受信方法においては、未開封された短文メッセージを電子メールに伝送するため、使用者が確認しなかった短文メッセージをインターネットの可能な端末機を通じて確認することができるという効果がある。
【図面の簡単な説明】
【図１】図１は、本発明に係る移動通信端末機の短文メッセージ受信方法が適用される移動通信システムの構造を示したブロック図である。
【図２】図２は、本発明に係る移動通信端末機の短文メッセージ受信方法を示したフローチャートである。
【図３】図３は、従来の移動通信端末機の短文メッセージ受信方法を示したフローチャートである。
【符号の説明】
１  端末機
２  基地局
３  制御局
４  交換機
５  短文メッセージサービスセンター
６  ウエブサーバー
【図１】
0003689386.tif 000002
【図２】
0003689386.tif 000003
【図３】
0003689386.tif 000004